【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
グレードアップ用モジュールを機械監視システムに接続するための方法であって、
第１の回路基板を備える機械監視システムを提供するステップと、
機械監視システムのための、第２の回路基板を備えるグレードアップ用モジュールを提供するステップと、
インターフェースコネクタ（１００）を設けるステップであって、前記インターフェースコネクタ（１００）が、ケーシング（２０２）と、前記ケーシング（２０２）内で互いに絶縁され、各コネクタ（２０４）が第１の端部（３０２）および第２の端部（３０４）を有する導電性コネクタ（２０４）とを含み、前記第１の端部（３０２）が前記第１の回路基板（１０２）に接続し、前記第２の端部（３０４）が前記第２の回路基板（１０４）に接続し、前記複数のコネクタ（２０４）が第１の列（４０４）および第２の列（４０６）を形成し、前期第１の列（４０４）が偶数番号のコネクタ（２０４）を含み、前記第２の列（４０６）が奇数番号のコネクタ（２０４）を含み、前記複数の導電性コネクタ（２０４）が、少なくとも１２０個のコネクタを含む、ステップと、
前記機械監視システムの動作のために、前記第１の回路基板と前記第２の回路基板との間で信号伝送するように、前記インターフェースコネクタ（１００）を構成するステップであって、前記構成するステップが、
コネクタ１〜４、１３〜１８、４３〜６１、６８〜７１、７７、７８、７９、８０、８４、８６、９２および９４〜１２０が、前記第１の回路基板（１０２）と前記第２の回路基板（１０４）との間の一般的な回路の接続のための電気的な経路を提供するステップと、
コネクタ４１、４２、６２〜６７、７２〜７５および８１が、前記第１の回路基板（１０２）と前記第２の回路基板（１０４）との間のホストプロセッサの接続のための電気的な経路を提供するステップと、
コネクタ５〜１２、１９〜４０、７６、８２、８３、８５、８７〜９１および９３が、前記第１の回路基板（１０２）と前記第２の回路基板（１０４）との間のフィールドプログラマブルゲートアレイ（ＦＰＧＡ）の接続のための電気的な経路を提供するステップと、
を含む、前記インターフェースコネクタ（１００）を構成するステップと、
前記構成されたインターフェースコネクタ（１００）を用いて、前記第１の回路基板（１０２）および前記第２の回路基板（１０４）を接続するステップと
を含む、方法。
【請求項２】
コネクタ１〜４、１３〜１８、４３〜６１、６８〜７１、７７、７８、７９、８０、８４、８６、９２および９４〜１２０が、前記第１の回路基板（１０２）と前記第２の回路基板（１０４）との間の一般的な回路の接続のための電気的な経路を提供するように、前記インターフェースコネクタ（１００）を構成するステップが、コネクタ５９、６１、７９、１８、６０、８０、１１０、６９、７１、６８、７０、７７および７８を、前記第１の回路基板（１０２）または前記第２の回路基板（１０４）の上の電子部品のための電源の接続として構成するステップを含む、請求項１に記載の方法。
【請求項３】
前記第１の回路基板（１０２）または前記第２の回路基板（１０４）の上の電子部品が、ホストプロセッサおよびフィールドプログラマブルゲートアレイ（ＦＰＧＡ）を含む、請求項２に記載の方法。
【請求項４】
コネクタ１〜４、１３〜１８、４３〜６１、６８〜７１、７７、７８、７９、８０、８４、８６、９２および９４〜１２０が、前記第１の回路基板（１０２）と前記第２の回路基板（１０４）との間の一般的な回路の接続のための電気的な経路を提供するように、前記インターフェースコネクタ（１００）を構成するステップが、前記第１の回路基板と前記第２の回路基板との間の複数のｋｅｙｐｈａｓｏｒ信号のための電気的な経路を提供するように、コネクタ１〜４を構成するステップを含む、請求項１に記載の方法。
【請求項５】
コネクタ４１、４２、６２〜６７、７２〜７５および８１が、前記第１の回路基板と前記第２の回路基板との間のホストプロセッサの接続のための電気的な経路を提供するように、前記インターフェースコネクタを構成するステップが、前記第１の回路基板と前記第２の回路基板との間のクロック信号のための電気的な経路を提供するようにコネクタ６３を構成するステップを含む、請求項１に記載の方法。
【請求項６】
コネクタ５〜１２、１９〜４０、７６、８２、８３、８５、８７〜９１および９３が、前記第１の回路基板と前記第２の回路基板との間のフィールドプログラマブルゲートアレイ（ＦＰＧＡ）の接続のための電気的な経路を提供するように、前記インターフェースコネクタを構成するステップが、前記第１の回路基板と前記第２の回路基板との間の管理データバス信号のための電気的な経路として、コネクタ２４〜３９を構成するステップを含む、請求項１に記載の方法。
【請求項７】
第１の回路基板を備える機械監視システムと、
機械監視システムのための、第２の回路基板を備えるグレードアップ用モジュールと、
インターフェースコネクタ（１００）と、
を備える、グレードアップ用モジュールを機械監視システムに接続するためのシステムであって、
前記インターフェースコネクタ（１００）が、前記機械監視システムの前記第１の回路基板（１０２）を前記グレードアップ用モジュールの前記第２の回路基板（１０４）に接続するのに使用され、前記インターフェースコネクタ（１００）が、
ケーシング（２０２）と、
前記ケーシング（２０２）内で互いに絶縁され、各コネクタ（２０４）が第１の端部（３０２）および第２の端部（３０４）を有する少なくとも１２０個の導電性コネクタ（２０４）とを含み、前記第１の端部（３０２）が前記第１の回路基板（１０２）に接続し、前記第２の端部（３０４）が前記第２の回路基板（１０４）に接続し、前記複数のコネクタ（２０４）が第１の列（４０４）および第２の列（４０６）を形成し、前期第１の列（４０４）が偶数番号のコネクタ（２０４）を含み、前記第２の列（４０６）が奇数番号のコネクタ（２０４）を含み、
前記複数のコネクタ（２０４）が、前記機械監視システムの動作のために、前記第１の回路基板と前記第２の回路基板との間で信号伝送するように構成され、前記構成が、
コネクタ１〜４、１３〜１８、４３〜６１、６８〜７１、７７、７８、７９、８０、８４、８６、９２および９４〜１２０が、前記第１の回路基板（１０２）と前記第２の回路基板（１０４）との間の一般的な回路の接続のための電気的な経路を提供し、コネクタ５９、６１、７９、１８、６０、８０、１１０、６９、７１、６８、７０、７７および７８が、前記第１の回路基板（１０２）または前記第２の回路基板（１０４）の上の電子部品のための電源の接続であり、コネクタ１〜４が、前記第１の回路基板（１０２）と前記第２の回路基板（１０４）との間の複数のｋｅｙｐｈａｓｏｒ（登録商標）信号のための電気的な経路を提供し、コネクタ４８および５６が、前記第１の回路基板（１０２）と前記第２の回路基板（１０４）との間のトリップ乗算信号のための電気的な経路を提供し、
コネクタ４１、４２、６２〜６７、７２〜７５および８１が、前記第１の回路基板（１０２）と前記第２の回路基板（１０４）との間のホストプロセッサの接続のための電気的な経路を提供し、コネクタ６３が、前記第１の回路基板（１０２）と前記第２の回路基板（１０４）との間のクロック信号のための電気的な経路を提供し、
コネクタ５〜１２、１９〜４０、７６、８２、８３、８５、８７〜９１および９３が、前記第１の回路基板（１０２）と前記第２の回路基板（１０４）との間のフィールドプログラマブルゲートアレイ（ＦＰＧＡ）の接続のための電気的な経路を提供し、コネクタ２４〜３９が、前記第１の回路基板（１０２）と前記第２の回路基板（１０４）との間の管理データバス信号のための電気的な経路を提供する
ように構成される、システム。
【請求項８】
前記第１の回路基板（１０２）が、Ｂｅｎｔｌｙ  Ｎｅｖａｄａ機械監視システムのための回路基板であり、前記インターフェースコネクタ（１００）が、前記第２の回路基板（１０４）を、Ｂｅｎｔｌｙ  Ｎｅｖａｄａ機械監視システムのための前記回路基板に電気的に接続するために使用される、請求項７に記載のシステム。